(57)【要約】【課題】取付対象装置をスライド式にレベル調整可能とした簡易式のアジャスタであって、設置面の全方向の傾斜に対応して取付角度を調整可能としたアジャスタ及びこれを用いたエアコン置台を提供すること。【解決手段】本発明に係るアジャスタは、鉛直方向の取付面に取り付けられる調整部材６０と、調整部材６０を支持する支持部材７０とを有する。調整部材６０は、上下方向に配置される平板状の係止片部６１と、その下辺に形成された係止片部６１の厚み寸法より大きい直径の軸部６２とを有する。そして、係止片部６１には上下に長い六角ボルト等の係止ねじ６３を貫通させる長孔６４が形成されている。支持部材７０は、軸部６２を回転可能に収納して支承する支承部７１と接地面を形成するベース部７２とを有し、支承部７１の上部には係止片部６１を突出させるためのスリット７３が形成されている。【選択図】図２
2008069810.tif 000002
【特許請求の範囲】
【請求項１】
取付対象装置に形成された鉛直方向の取付面に取り付けられる調整部材と、この調整部材を支持する支持部材とを有し、
調整部材は上下方向に配置される平板状の係止片部と、この係止片部の下辺に形成された係止片部の厚み寸法より大きい直径の軸部とを有し、該係止片部には係止ねじを締結するための、上下に長い長孔が形成され、
さらに、前記支持部材は、前記軸部を回転可能に収納して支承する略孔形状の支承部と、該支承部と一体に形成された接地面を形成するベース部とを有し、該支承部の上部には前記係止片部を上方に突出させるためのスリットが形成されている
ことを特徴とするアジャスタ。
【請求項２】
前記ベース部には、アジャスタを設置面に固定するための固定ねじを貫通させる取付孔が形成されていることを特徴とする請求項１記載のアジャスタ。
【請求項３】
前記支持部材は、前記調整部材の幅寸法より大きな幅に形成されていることを特徴とする請求項１又は２記載のアジャスタ。
【請求項４】
前記支持部材にスリットの両側から上方に向けて平板状の係止片部を板厚方向に挟むように立ち上げた一対の立上壁を形成し、この立上壁により前記取付面と直交する面におけるアジャスタの取付角度を規制するように構成されていることを特徴とする請求項１〜３の何れか１項記載のアジャスタ。
【請求項５】
前記一対の立上壁と前記係止片部とがリベットにより結合されていることを特徴とする請求項４記載のアジャスタ。
【請求項６】
前記調整部材の軸部は、軸心にリベット貫通用の軸孔が形成されるとともに、両側に円筒状のスペーサが配置されて、リベットにより回転可能に前記支承部に保持されていることを特徴とする請求項１〜４の何れか１項記載のアジャスタ。
【請求項７】
前記係止片部は、前記スリットの幅寸法により回転角度が規制されるように形成されていることを特徴とする請求項１〜３の何れか１項記載のアジャスタ。
【請求項８】
四隅に立設された支柱の上部において左右方向に横フレームが架設されるとともに、前後方向に縦フレームが架設され、さらに、前後方向に対し左右方向が長くなるように形成された横長のエアコン置台であって、各支柱の下方部に鉛直方向の取付面を形成し、この取付面に対し請求項１〜７の何れか１項記載のアジャスタが取り付けられていることを特徴とするエアコン置台。
【請求項９】
前記四隅に立設された支柱は、鉛直方向の取付面を内部に形成した中空部を備え、前記アジャスタの係止片部を中空部内に挿入し、この係止片部が中空部内の取付面に対し取り付けられるように構成されていることを特徴とする請求項８記載のエアコン置台。
【請求項１０】
前記中空部は、前記係止片部の幅方向の両端部との間に所定寸法の隙間を残す大きさに形成されていることを特徴とする請求項９記載のエアコン置台。
【請求項１１】
前記アジャスタは、軸部の軸心方向が当該エアコン置台の左右方向となるように取り付けられていることを特徴とする請求項８〜１０の何れか１項記載のエアコン置台。
【発明の詳細な説明】
【技術分野】
【０００１】
本発明は、装置を水平に支持するために各種装置の脚部などに取り付けられるレベル調整用のアジャスタに関し、特に、アジャスタが取り付けられる対象装置（この明細書では取付対象装置という）を手で持ってスライド式に上下動させながらレベル調整可能とした簡易方式のアジャスタに関する。また、本発明は、このようなアジャスタを用いたエアコン置台に関する。
【背景技術】
【０００２】
取付対象装置に取り付けられるレベル調整用のアジャスタの一例としては、特許文献１に記載のエアコン置台に取り付けられたアジャスタがある。このアジャスタは、レベル調整用のねじ部を形成したシャフトを備え、このシャフトを回転させることによりねじ部と装置との係合部を上下動させて設置面に対するレベルを調整するものである。また、特許文献１に記載のものは、シャフトの下端部を突状球面状の座部とし、この突状球面状の座部がフットに設けられている凹状球面状の支持面で支承されるように構成されている。したがって、特許文献１に記載のものは、設置面の傾斜に対応してアジャスタの取付角度を調整することができ、フットを傾斜する設置面に密着させながら取付対象装置を水平に支持可能とすることができるものである。ここで、アジャスタの取付角度とは、水平面を基準として調節し得るフット（本発明における支持部材に相当する）の載置面の角度をいう。
【０００３】
上記のように特許文献１に記載のものは、傾斜する設置面に対し装置類を安定的に支持できるので機能的には問題がない。しかし、球面状の座部や球面状の支持面を必要とするため、加工が複雑となり高価となっていた。このため、低コスト化が要望されていた。
【０００４】
このような状況化、家庭用エアコンなどのように比較的軽量なエアコンを支持するエアコン置台に用いられるアジャスタとしては、エアコン置台を作業者が手で持ち上げることにより、スライド式に据付高さを調整可能とする安価な簡易方式のアジャスタが多用されている。その一例として、非特許文献１に記載されたものがある。その具体例を図１７に示す。図１７は、四隅に支柱を立設した家庭用エアコン用のエアコン置台において、正面から見て左側奥の支柱の下方部分に用いられているアジャスタを示したものであって、（ａ）は斜視図であり、（ｂ）は正面図であり、（ｃ）は側面図である。この図に示すように、支柱１０１の下部にアジャスタ１０２が取り付けられている。支柱１０１は、平断面Ｌ型のアングル型材から成り、高さ方向に延びるＬ型を成す２面には所定間隔で丸孔１０３が多数設けられている。一方、アジャスタ１０２は、支柱１０１と同程度の幅寸法の平板をＬ型に折り曲げ、直立面部１０４と設置面に載置される水平面部１０５とが形成されている。直立面部１０４はボルト等の係止ねじ１０６におり支柱１０１に固定される。また、設置面からの係止ねじ１０６の位置を調節可能とするために、直立面部１０４には係止ねじ貫通用の上下に長い長孔１０７が形成されている。さらに、水平面部１０５には、アジャスタ１０２を設置面に固定するための固定ねじを貫通させる貫通孔１０８が形成されている。
【０００５】
そして、アジャスタ１０２の取り付けは、支柱１０１に形成された丸孔１０３と直立面部１０４の長孔１０７とを対向させて係止ねじ１０６を締結することにより行われている。したがって、このアジャスタ１０２では、ボルト等の係止ねじ１０６による締結を緩めた状態で作業者が手で置台を持ち上げて、アジャスタ１０２に対し置台を上下方向にスライドさせることにより、長孔１０７の寸法内で置台のレベルを調整することができる。また、この係止ねじ１０６を中心にして直立面部１０４の取付角度を変更することができる。したがって、図１７（ｂ）に示すようにｘ−ｙ平面においては、設置場所の傾斜角度に合わせてアジャスタ１０２の取付角度Θｘｙを調整することができる。
【特許文献１】特開２００６−１１８５７０号公報
【非特許文献１】「スカイキーパ  ２００５  製品カタログ」、オーケー器材株式会社、２００５年８月７日、Ｐ５５
【発明の開示】
【発明が解決しようとする課題】
【０００６】
このように、非特許文献１に示した簡易なスライド式のアジャスタ１０２は、簡略な構造により安価に製作できる利点を有するとともに、ｘ−ｙ平面内において設置面が傾斜している場合には、アジャスタ１０２の取付角度Θｘｙを調整することができる。しかし、このアジャスタ１０２は、図１７（ｃ）に示すようにｙ−ｚ平面において設置面が傾斜している場合には、アジャスタ１０２の取付角度を調節することができないものであった。なお、エアコン置台の場合には、傾斜に対する置台の安定性の面から考えて、寸法の大きい左右方向よりも寸法の小さい前後方向の傾斜に対してより調整の必要性が高い。これは、エアコン置台の場合は犬走りなどの建物周辺に設置されることが多く、このような設置場所は左右方向よりも前後方向に傾斜していることが多いからである。したがって、エアコン置台の場合、前後方向の傾斜に対する調整が可能であれば、左右方向の傾斜に対して調整できないものも、設置面における左右方向の傾斜を無視するか、設置面を補修するなどして使用されることが多かった。ところが、ｙ−ｚ平面において設置面が傾斜している場合にはアジャスタ１０２の載置面が設置面に密着しない状態となるため、設置面の補修ができない装置に関しては安価なもので全方向の傾斜に対して調整可能なものが求められていた。また、前述のエアコン置台の場合であっても、より安定した取付状態及びより見栄えの良好な取付状態を実現するために、安価なもので全方向の傾斜に対して、アジャスタの取付角度の調整可能なものが求められていた。
【０００７】
本発明は、このような背景に基づきなされたものであって、その目的は、エアコン置台などのように傾斜する設置面に対する高さ調整のために使用されるアジャスタであって、スライド式にレベル調整可能とした簡易式のアジャスタでありながら、設置面の全方向の傾斜に対応して取付角度を調整可能としたアジャスタを提供することにある。また、このようなアジャスタを使用したエアコン置台を提供することにある。
【課題を解決するための手段】
【０００８】
本発明に係るアジャスタは、上記課題を解決するためになされたものであって、取付対象装置に形成された鉛直方向の取付面に取り付けられる調整部材と、この調整部材を支持する支持部材とを有する。そして、調整部材は上下方向に配置される平板状の係止片部と、この係止片部の下辺に形成された係止片部の厚み寸法より大きい直径の軸部とを有し、該係止片部には係止ねじを締結するための、上下に長い長孔が形成されている。また、前記支持部材は、前記軸部を回転可能に収納して支承する略孔形状の支承部と、該支承部と一体に形成された接地面を形成するベース部とを有し、該支承部の上部には前記係止片部を上方に突出させるためのスリットが形成されている。ここで、係止ねじは、六角ボルト、十字穴付き丸小ねじなどのねじ一般を含む。
【０００９】
このような構成のアジャスタによれば、取付対象装置を手で持ってスライド式に上下方向に移動させて、調整部材の係止片部に形成された長孔を貫通する係止ねじの貫通位置を調節することにより、設置面の傾斜に対応してレベルを調節することができる。また、係止片部の下辺の軸部が支承部において回転可能に支承されているので、前記取付面に直交する面においては、設置面の傾斜角度に対応してアジャスタの取付角度が自動的に調整される。また、この係止ねじの固定時に、係止ねじを回転中心として前記取付面を含む面においてアジャスタの取付角度を調整することができる。したがって、設置面のあらゆる方向の傾斜に対応して装置を安定的に水平に保持することができる。
【００１０】
また、前記ベース部には、アジャスタを設置面に固定するための固定ねじを貫通させる取付孔を形成することが好ましい。このように構成することにより設置面に支持部材が確実に固定することができる。特に、設置面が傾斜している場合には、レベル調整を必要とする装置を安定して取り付けることができる。ここで、固定ねじは、六角ボルト、十字穴付き丸小ねじなどのねじ一般を含む。
【００１１】
また、支持部材は調整部材の幅寸法より大きな幅に形成されていることが好ましい。このようにすれば、設置面に接触する面を大きくすることができるので、アジャスタの設置を安定化することができる。
【００１２】
また、支持部材にはスリットの両側から上方に向けて平板状の係止片部を板厚方向に挟むように立ち上げた一対の立上壁が形成され、この立上壁により前記取付面に直交する面におけるアジャスタの取付角度が規制されるように構成してもよい。このように構成すれば、アジャスタの取付角度が大きくなり過ぎることにより、装置を支持できなくなるといった不都合を回避することができる。
【００１３】
また、前記一対の立上壁と前記係止片部とがリベットにより結合されていることが好ましい。このようにすることにより、調整部材が支承部から軸部の軸心方向に離脱することが防止される。
【００１４】
また、このように一対の立上壁と前記係止片部とがリベットにより結合されることに代えて、前記調整部材の軸部は、軸心にリベット貫通用の軸孔が形成されるとともに、両側に円筒状のスペーサが配置されて、リベットにより回転可能に前記支承部に保持するようにしても良い。このように構成することにより、係止片部が支承部から軸部の軸心方向に離脱するのを防止することができる。
【００１５】
また、前記のような立上壁を形成せず、支承部のスリットの幅寸法により回転角度を規制するようにしてもよい。このように構成すれば、簡単な構成で係止片部の回転角度を規制することができる。
【００１６】
また、本発明に係るエアコン置台は、四隅に立設された支柱の上部において左右方向に横フレームが架設されるとともに、前後方向に縦フレームが架設され、さらに、前後方向に対し左右方向が長くなるように形成された横長のエアコン置台であって、各支柱の下方部に鉛直方向の取付面を形成し、この取付面に対し前述のスライド式に高さを調節する簡易なアジャスタが前記係止片部の長孔を介し係止ねじにより取り付けられていることを特徴とする。
【００１７】
このように構成されたエアコン置台によれば、スライド式に高さ調整できる簡易なアジャスタが使用されているのでコスト軽減を図ることができる。また、エアコン置台の設置面が左右方向及び前後方向に傾斜している場合であっても、所定角度以内であればアジャスタの取付角度を調整して取付対象装置を安定的に水平に維持することができる。
【００１８】
また、前記四隅に立設された支柱は、鉛直方向の取付面を内部に形成した中空部を備え、前記アジャスタの係止片部を中空部内に挿入し、この係止片部が中空部内の取付面に対し取り付けられるように構成されていることが好ましい。このように構成すれば、係止片部を目立たなくすることができるので、置台の見栄えを向上させることができる。
【００１９】
また、この場合において、前記中空部は、係止片部の幅方向の両端部に所定寸法の隙間を残すように形成されていることが好ましい。このように構成すれば、係止片部は隙間内でのみ移動可能となるので、取付面を含む面におけるアジャスタの取付角度を所定角度内に確実に規制することができる。
【００２０】
また、前記アジャスタは、軸部の軸心方向が当該エアコン置台の左右方向になるように取り付けられていることが好ましい。上記アジャスタによれば、取付面を含む面上における取付角度の調整は係止ねじを中心とする係止片部の取付角度を調整するものであるのに対し、取付面と直交する面における取付角度の調整は支承部で支持される軸部の回転により行えるため、円滑な角度調整ができる。したがって、左右方向の取付角度の調整機能よりも前後方向の取付角度の調整機能の方が重視されるエアコン置台としては、アジャスタの軸部の軸心方向が左右方向と成るようにアジャスタを取り付けると、前後方向のアジャスタの取付角度の調整が円滑に行えることになり、好ましい状態となる。
【発明の効果】
【００２１】
本発明に係るアジャスタによれば、スライド式にレベル調整する簡易方式のアジャスタでありながら、設置面の傾斜角度が所定の範囲内であれば、あらゆる方向の傾斜に対応してアジャスタの取付角度を調整して取付対象装置を安定的に水平に保持することができる。また、本発明に係るエアコンの置台によれば、このようなアジャスタを使用するため、コスト軽減を図ることができるとともに、置台の設置面が左右方向及び前後方向に傾斜している場合であっても、所定角度以内であればエアコン置台を水平に保持することができる。
【発明を実施するための最良の形態】
【００２２】
以下に、本発明の実施の形態に係るアジャスタを用いたエアコン置台を、図面に基づいて説明する。そこで、まずエアコン置台の基本構造を成すフレーム構造の構成について図１〜図６に基づき説明する。図１は本実施の形態に係るエアコン置台の外観斜視図であり、図２は左手前のアジャスタ周りの分解斜視図であり、図３は左手前の支柱周りの平面図であり、図４は図３におけるＩＶ―ＩＶ断面図であり、図５は図３におけるＶ―Ｖ断面図であり、図６は左手前の支柱上部の接合部の分解斜視図である。なお、エアコン置台の基本構造を成すフレーム構造は、本発明における取付対象装置を成す。
【００２３】
本実施の形態に係るエアコン置台は、これら図面に示されるように、前後方向に対し左右方向が長くなるように形成された平置台と呼ばれるエアコン置台であって、四隅に支柱１が立設され、支柱１の上部において連結部材２を介して、左右方向に横フレーム３が架設されるとともに前後方向に縦フレーム４が架設されている。また、横フレーム３の所定の中間位置には、前後の横フレーム３の上部に対しベースフレーム５が架け渡されている。さらに、支柱１の下方部には、エアコン置台のレベル調整及び設置面に対する角度調整用のアジャスタ６が取り付けられている。
【００２４】
四隅の支柱１は、前後の支柱１相互が前後対称的に形成されるとともに、左右の支柱１相互が左右対称的に形成されている。また、各支柱１の上部に取り付けられる連結部材２も、取り付けられる支柱１に対応して前後のもの及び左右のものがそれぞれ対称的に形成されている。さらに、前後に配置されている横フレーム３が前後対称的に形成されるとともに、左右に配置されている縦フレーム４が左右対称的に形成されている。なお、本明細書において、正面、左右、前後などの方向をいうときは、図１における紙面上の右手前側を正面とした方向をいうものとする。
【００２５】
次に、支柱１、連結部材２、横フレーム３、縦フレーム４及びベースフレーム５についてより具体的に説明する。なお、説明を簡略化するために、図１における左手前の支柱１と、同支柱１の上部に結合する連結部材２、横フレーム３及び縦フレーム４と、同支柱１側のベースフレーム５について説明し、他の位置に配置されているものについては上記のように対称的な構造であることをもってその説明に代える。
【００２６】
左手前の支柱１は、上下方向に押し出しされたアルミニウム系の材料から成る押出型材から形成されるものであって、図２、図３、図６などに示すように、水平断面形状が平板状の側面部１１と内部に二つの中空部１２、１３を備えた立体的構造の前面部１４とにより略Ｌ型に形成されたものである。
【００２７】
支柱１の側面部１１における上部には、図６に示すように、タッピングねじ１５により縦フレーム４の側面の壁を介在させて連結部材２を固定するタッピングねじ用貫通孔１１ａが形成されている。また、前面部１４におけるコーナ側の中空部１２は、図２、図４、図５などに示すように、下方においてアジャスタ６の係止片部６１を挿入するように構成されたものであって、係止片部６１が挿入された状態において係止片部６１の左右に所定の隙間Ｓが存在するように構成されている（図５参照）。隙間Ｓは、支柱１に対するアジャスタ６の左右方向の取付角度を調整するためのものである（後述する図１１参照）。また、コーナ側の中空部１２の下方部の内面は、アジャスタ６を固定するための、本発明における鉛直方向の取付面を成し、中空部１２の下方部には、アジャスタ６を固定するための、係止ねじ６３（この実施の形態では六角ボルト）挿通用の長孔１６（図２参照）が形成されている。この長孔１６は、アジャスタ６の上下方向の取付位置を調節可能とするために上下に長く形成されている。また、前面部１４における他方の中空部１３は、図６に示すように、支柱１と連結部材２及び横フレーム３との固定を行う連結ボルト１７の頭部１７ａを挿入する溝部として形成されており、背面側に連結ボルト１７のねじ部１７ｂを貫通させるためのスリット１８が形成されている（図３、図４、図６参照）。
【００２８】
左手前の支柱１に取り付けられる連結部材２は、上下方向に押し出しされたアルミニウム系の材料から成る押出型材から形成されるものであって、図６に示すように、主として縦フレーム４のコーナ側端部内に配置される筒状部２１と、筒状部２１から横方向に突出して横フレーム３の内部に挿入される二つの平板状の係合爪部２２とを備えている。筒状部２１は、内部を前後に二分する仕切壁２３を有し、この仕切壁２３の前面に上下方向の溝部２３ａが形成されている。この溝部２３ａは、縦フレーム４を上方からタッピングねじ２４により固定するためのねじ切り部を形成する。また、筒状部２１の前部の左側面には、縦フレーム４の側面を介してこの連結部材２と支柱１とを前述のタッピングねじ１５によりねじ止めするための下孔２５が１個形成されている。同様に、筒状部２１の後部の左側面には、タッピングねじ２６により縦フレーム４の側面を連結部材２にねじ止めするための下孔２７が２個上下に並べて形成されている。さらに、二つの係合爪部２２それぞれには、前述の連結ボルト１７を挿通するためのボルト孔２８が形成されている。
【００２９】
そして、横フレーム３の内部に挿入される二つの係合爪部２２は、内部に上下方向に貫通する空洞が形成されたものであって、略筒状の横フレーム３の前面及び後面の各内面に沿うように、横フレーム３の内部に挿入される。
【００３０】
横フレーム３は、長手方向（左右方向）に押し出しされたアルミニウム系の材料から成る押出型材から形成された略断面四角形の筒状部材であって、図６に示すように、上面にはベースフレーム５をタッピングねじ５１（図１参照）により固定するための溝部３１が形成されている。溝部３１は、上面側に比較的幅広の、タッピングねじ５１をガイドするガイド部３１ａが形成され、その下方にタッピングねじ５１によりねじ切りされる螺合部３１ｂが形成されている。また、底面の内部には、長手方向に２本のリブ３２が形成されており、リブ３２と前後面との間が前記係合爪部２２挿入用の溝として利用されている。また、横フレーム３の側面には、支柱１の中空部１３に頭部１７ａが保持された連結ボルト１７を挿通させるボルト孔３３が形成されている。このボルト孔３３に連結ボルト１７を挿通して横フレーム３の背面側からナット１９を締結することにより、横フレーム３が連結部材２とともに支柱１に固定されている（図３及び図４参照）。
【００３１】
縦フレーム４は、長手方向（前後方向）に押し出しされたアルミニウム系の材料から成る押出型材から形成された略断面四角形の筒状部材であって、図６に示すように、上面４１、左側面４２及び短い下面４３を備えたものである。そして、左側面４２及び上面４１には、連結部材２の筒状部２１の前部にタッピングねじ１５、２４により固定するためのタッピングねじ用の貫通孔４４，４５が各１個形成されている。また、左側面４２のやや中央よりの部分には、連結部材２の筒状部２１の後部にタッピングねじ２６により固定するためのタッピングねじ用の貫通孔４６，４７が２個上下に並べて形成されている。なお、縦フレーム４は、左側面４２が支柱１の側面部１１の内側に当接するように配置される（図３及び図５参照）。
【００３２】
ベースフレーム５は、図１に示すように、エアコンの室外機を載置するフレームであって、前述の横フレーム３の溝部３１における螺合部３１ｂに対し、タッピングねじ５１によりねじ止めされている。このベースフレーム５は、上面、左右の側面、及び中央側の側面の下端を折り曲げて形成した固定面５２とを備えたものであって、上面には長手方向に長孔５３が形成され、この長孔５３に防振ゴム５４が取り付けられている。この実施の形態に係るベースフレーム５は、板金折り曲げにより構成されたものであるが、アルミニウム系の材料から成る押出型材により形成することもできる。また、型材とする場合、筒状の形状として長孔に代えて全長に渡るスリットに形成することもできる。
【００３３】
次に、支柱の下部に取り付けられるアジャスタ６について、図１〜図６の図面に図７〜図１１を加え、これら図面を参照しながら説明する。なお、図７は本実施の形態に係るアジャスタの正面図であり、図８は同アジャスタの右側面図であり、図９は同アジャスタの平面図であり、図１０は同アジャスタの前後方向の取付角度の調整説明図であり、図１１は同アジャスタの左右方向の取付角度の調整説明図である。
【００３４】
この実施の形態に係るアジャスタ６は、図１〜図５及び図７〜図９に示すように、エアコン置台の支柱１の下部に取り付けられる調整部材６０と、この調整部材６０を支持する支持部材７０とから形成されている。調整部材６０は、図２及び図７〜図９に示すように、上下方向に配置される平板状の係止片部６１と、この係止片部６１の下辺に形成された係止片部６１の厚み寸法より大きい直径の軸部６２とを有する。なお、軸部６２の軸心には軸孔６２ａが形成されている。そして、係止片部６１における上部には、ボルト等の係止ねじ６３を貫通させる上下に長い長孔６４が形成される。なお、係止ねじ６３はナット６５により締結される。また、係止片部６１における下部には、図２に示すように、リベット６６を貫通させる大きい目の貫通孔６７が形成されている。このリベット６６は、調整部材６０が左右方向にスライドして支持部材７０から脱落しないように結合するためのものである。
【００３５】
また、係止片部６１の左右方向の幅寸法は、図５に図示するように、支柱１の中空部１２内において両端面と中空部１２の内面との間に所定寸法の隙間Ｓが形成される大きさとする。この隙間Ｓを形成することにより、図１１に図示するように、予め設定された取付角度βの範囲内でアジャスタ６を左右方向に傾斜させることができる。
【００３６】
支持部材７０は、図２及び図７〜図９に示すように、係止片部６１の軸部６２を回転可能に収納して支承する略孔形状の支承部７１と、この支承部７１と一体に形成された接地面を形成するベース部７２とを有する。また、支承部７１の上部には、係止片部６１を上方に突出させるためのスリット７３が形成されるとともに、このスリット７３の両側には、上方に向けて平板状の係止片部６１を板厚方向に挟むように一対の立上壁７４が形成されている。この立上壁７４は、調整部材６０の軸部６２が支承部７１において回転する角度、つまり、図１０に示すアジャスタ６の前後方向の取付角度αを規制するものであって、上方に角度α開いた状態に形成されている。また、この立上壁７４には、前述のように調整部材６０が支持部材７０から脱落しないようにするためのリベット６６締結用のリベット用下孔７５が形成されている。
【００３７】
また、ベース部７２は、アジャスタ６を設置面に載置して固定する載置部を形成するものであって、支承部７１の下方から前後方向にベース部７２が形成されるとともに、ベース部７２における後方側にアジャスタ６を設置面に固定するボルト等の固定ねじを貫通させる取付孔７６が形成されている。また、ベース部７２の下面は設置面に載置される載置面を成している。そして、ベース部７２と支承部７１との接合部は、リブ７７，７８により補強が行われている。なお、このように形成された支持部材７０は、調整部材６０の幅より大きい幅寸法を有する形状に形成されている。
【００３８】
本実施の形態に係るエアコン置台において、フレーム構造は次のようして組み立てられる。まず、支柱１の上部において、図３に示すように、縦フレーム４を介在させて連結部材２が仮止めされる。この仮止めは、連結部材２の筒状部２１の前部にタッピングねじ１５が締結されることにより行われる。このようにして、各支柱１の上部に縦フレーム４を固定する。そして、左右の縦フレーム４が仮止めされた状態のものにおいて、連結部材２の係合爪部２２を横フレーム３の内部に挿入する。次いで、支柱１の他方の中空部１３に頭部１７ａを保持した連結ボルト１７のねじ部１７ｂを横フレーム３のボルト孔３３及び連結部材２のボルト孔２８に貫通させ、ねじ部１７ｂにナット１９を締結する。これにより、横フレーム３が取り付けられたエアコン置台が仮組みされる。このようにして、仮組みされたエアコン置台において、縦フレーム４の上面から連結部材２の筒状部２１の仕切壁２３に形成された溝部２３ａに対しタッピングねじ２４を締結するとともに、縦フレーム４の側面から連結部材２の筒状部２１の後部側面に対し２個のタッピングねじ２６を締結することにより、フレーム構造物が形成される。
【００３９】
また、本実施の形態のエアコン置台を使用するに際しては、上記のようにエアコン置台を組み立てる一方で、アジャスタ６を組み立てる。アジャスタ６の組立は、例えば図８に示すように、支持部材７０の支承部７１に対し支承部７１の軸方向から調整部材６０の軸部６２を挿入する。次いで、調整部材６０の貫通孔６７と支持部材７０の立上壁７４のリベット用下孔７５とを芯合わせする。そして、立上壁７４の間に調整部材６０の係止片部６１を介在させた状態でリベット６６を締結する。これにより、調整部材６０が支持部材７０から脱落しないように組み立てられ、アジャスタ６の組立が完了する。
【００４０】
次に、このように組み立てられたアジャスタ６を各支柱１の下部に取り付ける。アジャスタ６の取付は、図２に示すように、支柱１のコーナよりの中空部１２に対し下方から係止片部６１を挿入し、支柱１の下方部に形成された長孔１６と係止片部６１の長孔６４とを合わせ、これら長孔１６，６４にボルト等の係止ねじ６３を挿入してナット６５を締結することにより行われる。このとき、係止ねじ６３の上下方向の位置は、設置面の傾斜に対応して調整することによりレベルを調整する。また、図１１に示すように、設置面の傾斜に対応してアジャスタ６の左右方向の取付角度βを調整する。この取付角度βの調整は、係止ねじ６３を緩めた状態にし、係止ねじ６３を軸心としてアジャスタ６を左右方向に回転させることにより、支柱１の中空部１２の内部の隙間Ｓを利用して所定角度の範囲内で調整することができる。なお、前後方向の取付角度αは、支承部７１内で軸部６２が回転するため、エアコン置台を設置面に設置することにより自動的に調整される。このように支柱１のレベル及びアジャスタ６の左右方向の取付角度βを調整して、支柱１を鉛直方向に立設することによりエアコン置台の組立作業を完了する。
【００４１】
上記のように構成されたエアコン置台に使われているアジャスタ６は、次のような効果を奏することができる。
（１）取付対象装置であるエアコン置台を手で持ってスライド式に上下方向に移動させて、調整部材６０の係止片部６１に形成された長孔６４を貫通する係止ねじ６３の貫通位置を調節することにより、設置面の傾斜に対応してレベルを調節することができる。
【００４２】
（２）また、係止片部６１の下辺の軸部６２が支承部７１において回転可能に支承されているので、支柱１に対するアジャスタ６の前後方向の取付角度αは、設置面の傾斜角度に対応して自動的に調整される。この取付角度αの調整は、アジャスタ６の取付面に直交する面内の角度調整である。また、この係止ねじ６３の固定時に、係止ねじ６３の中心を回転中心として支柱１に対するアジャスタ６の左右方向の取付角度βを調整することができる。この取付角度βの調整は、アジャスタ６の取付面を含む面内の角度調整である。したがって、設置面のあらゆる方向の傾斜に対応して支柱１に対するアジャスタ６の取付角度を調整することができる。
【００４３】
（３）また、アジャスタ６のベース部７２には、アジャスタ６を設置面に固定するためのボルト等の固定ねじを貫通させる取付孔７６が形成されているので、設置面に支持部材７０が確実に固定される。特に、設置面が傾斜している場合には、レベル調整を必要とする装置、この場合はエアコン置台を安定して取り付けることができる。
【００４４】
（４）また、支持部材７０は調整部材６０の幅寸法より大きな幅に形成されているので、設置面に接触する面を大きくすることができる、アジャスタ６の設置を安定化することができる。
【００４５】
（５）また、支持部材７０にはスリット７３の両側から上方に向けて平板状の係止片部６１を板厚方向に挟むように一対の立上壁７４が形成され、この立上壁７４により取付対象装置に対するアジャスタ６の前後方向の取付角度αを規制するように構成されている。したがって、アジャスタ６の前後方向の取付角度αが大きくなり過ぎて、装置（この場合エアコン置台）を支持できなくなるような不都合が確実に回避される。また、一対の立上壁７４及び係止片部６１を貫通するリベット６６が設けられているので、調整部材６０が支持部材７０の支承部７１から軸部６２の軸心方向に離脱することが防止される。
【００４６】
また、上記のようなアジャスタ６を使用した本実施の形態に係るエアコン置台によれば、次のような効果を奏することができる。
（６）本実施の形態に係るエアコン置台は、前後方向に対し左右方向が長くなるように形成された横長の平地用のエアコン置台であって、各支柱１の下方部に鉛直方向の取付面を形成し、この取付面に対し前述のスライド式に高さを調節する簡易なアジャスタ６が係止ねじ６３により取り付けられているので、コスト軽減を図ることができる。また、エアコン置台の設置面が左右方向及び前後方向に傾斜している場合であっても、所定角度以内であれば、取付対象装置を安定的に水平に維持することができるようにアジャスタ６の取付角度を調整することができる。
【００４７】
（７）また、四隅に立設された支柱１には中空部１２が備えられ、アジャスタ６の係止片部６１が中空部１２内に挿入され、この係止片部６１が中空部１２内の取付面に対し取り付けられるように構成されているので、係止片部６１を目立たなくすることができ、置台の見栄えを向上させることができる。
【００４８】
（８）また、中空部１２は、係止片部６１の幅方向の両端部に所定寸法の隙間Ｓを残すように形成されており、係止片部６１が隙間Ｓ内でのみ移動可能となるように構成されているので、支柱１に対するアジャスタ６の左右方向の取付角度βが確実に規制される。
【００４９】
（９）また、アジャスタ６は、軸部６２の軸心方向がエアコン置台の左右方向になるように取り付けられている。したがって、支柱１に対する前後方向の（取付面と直交する面における）アジャスタ６の取付角度αは、支承部７１で支持される軸部６２の回転により行われる。また、左右方向の取付角度βの調整機能よりも前後方向の取付角度αの調整機能の方が重視されるニーズに好適なエアコン置台を形成することができる。
【００５０】
（変形例１）
上記実施の形態に係るアジャスタ６については、図１２〜図１４に示す変形例１のように、支持部材７０における立上壁７４を省略することもできる。そして、この変形例１では、図１５に示すように、支柱１に対する前後方向の取付角度αをスリット７３の幅寸法により規制している。また、立上壁７４を省略したために、調整部材６０の軸部６２が支持部材７０の支承部７１から軸方向に離脱するのを防止するリベット６６を立上壁７４に取り付けることができなくなっている。そこで、軸部６２の左右に円筒状のスペーサ８１，８２を配置するとともに、軸部６２に形成されている軸孔６２ａをリベット挿入用の孔として、この軸孔６２ａに対して平座金８３を介して一方からリベット８４を挿入する。そして、他方において突出させたリベット８４の先端部を平座金８５を介しかしめて係止部８６を形成することにより、調整部材６０が支承部７１から離脱しないようにしたものである。このように構成した変形例１のものにおいても、前記実施の形態の場合と同様に、支柱１に対するアジャスタ６の前後方向の取付角度α及び左右方向の取付角度βを調節することができる。
【００５１】
（変形例２）
上記実施の形態に係るアジャスタ６では、アジャスタ６の取付面を支柱１の中空部１２の内面下方に形成しているが、これを中空部１２の外表面、例えば図１６（アジャスタ６の右側面図）に示すように支柱１の背面側外表面の下方に形成することもできる。
【図面の簡単な説明】
【００５２】
【図１】本実施の形態に係るエアコン置台の外観斜視図である。
【図２】図１における左手前のアジャスタ周りの分解斜視図である。
【図３】図１における左手前の支柱周りの平面図である。
【図４】図３におけるＩＶ−ＩＶ断面図である。
【図５】図３におけるＶ−Ｖ断面図である。
【図６】図１における左手前の支柱上部の接合部の分解斜視図である。
【図７】本実施の形態に係るアジャスタの正面図である。
【図８】同アジャスタの右側面図である。
【図９】同アジャスタの平面図である。
【図１０】同アジャスタの前後方向の取付角度の調整説明図である。
【図１１】同アジャスタの左右方向の取付角度の調整説明図である。
【図１２】変形例１に係るアジャスタの正面図である。
【図１３】同アジャスタの右側面図である。
【図１４】同アジャスタの平面図である。
【図１５】同アジャスタの前後方向の取付角度の調整説明図である。
【図１６】変形例２に係るアジャスタの取付説明図である。
【図１７】従来例に係るエアコン置台に取り付けられたアジャスタの説明図であって、（ａ）は斜視図であり、（ｂ）は正面図であり、（ｃ）は側面図である。
【符号の説明】
【００５３】
α…（前後方向の）取付角度、β…（左右方向の）取付角度、Ｓ…隙間、１…支柱、３…横フレーム、４…縦フレーム、６…アジャスタ、１２…（コーナ側の）中空部、６０…調整部材、６１…係止片部、６２…軸部、６２ａ…軸孔、６３…係止ねじ、６４…長孔、６６…リベット、７０…支持部材、７１…支承部、７２…ベース部、７３…スリット、７４…立上壁、７６…取付孔、８１，８２…スペーサ、８４…リベット。
【図１】
2008069810.tif 000003
【図２】
2008069810.tif 000004
【図３】
2008069810.tif 000005
【図４】
2008069810.tif 000006
【図５】
2008069810.tif 000007
【図６】
2008069810.tif 000008
【図７】
2008069810.tif 000009
【図８】
2008069810.tif 000010
【図９】
2008069810.tif 000011
【図１０】
2008069810.tif 000012
【図１１】
2008069810.tif 000013
【図１２】
2008069810.tif 000014
【図１３】
2008069810.tif 000015
【図１４】
2008069810.tif 000016
【図１５】
2008069810.tif 000017
【図１６】
2008069810.tif 000018
【図１７】
2008069810.tif 000019